(57)【特許請求の範囲】
【請求項１】
文書データが入力される文書入力部と、
該文書入力部により入力された文書データを解析することにより、少なくとも何（Ｗｈａｔ）、誰（Ｗｈｏ）、何時（Ｗｈｅｎ）、何処（Ｗｈｅｒｅ）、何故（Ｗｈｙ）、どうした（Ｈｏｗ）の一ないし複数の５Ｗ１Ｈの要素の判定を行う自然言語処理部と、
日本語における動詞、形容詞、形容動詞を説明し、修飾語となる副詞、または英語における名詞、代名詞、句、節、あるいは文全体を説明し、修飾語となる副詞であって、感情の表現に係る副詞的用法を算定するための所定の副詞的用法算定基準と、該副詞的用法算定基準に対応する副詞的用法と、該副詞的用法の置換対象となる５Ｗ１Ｈの要素とが互いに関連付けられながら記憶された副詞的用法データベースと、
前記自然言語処理部により５Ｗ１Ｈの要素の判定が行われた文書データについて、前記副詞的用法データベースを参照することにより、文書データに含まれる所定の副詞的用法算定基準に対応する副詞的用法と、該副詞的用法の置換対象となる５Ｗ１Ｈの要素とを算定する副詞的用法算定部と、
前記副詞的用法算定部により算定された副詞的用法と５Ｗ１Ｈの要素の算定結果に基づいて、文書データに含まれる該５Ｗ１Ｈの要素を該副詞的用法に置換する副詞的用法置換部と、
前記副詞的用法置換部により所定の５Ｗ１Ｈの要素が副詞的用法に置換された新たな文書データを出力する文書出力部とを備え、
前記副詞的用法算定基準は、文書データにおいて５Ｗ１Ｈの要素のどうした（Ｈｏｗ）に「謝罪」の単語が含まれる場合の基準が含まれ、該副詞的用法算定基準に対して感情の表現に係る副詞的用法が対応するものとなされ、
前記副詞的用法算定部は、前記自然言語処理部により５Ｗ１Ｈの要素の判定が行われた文書データについて、前記副詞的用法データベースを参照することにより、前記副詞的用法算定基準に対応する感情の表現に係る副詞的用法を算定することを特徴とする自然言語処理装置。
【請求項２】
文書データが入力される文書入力部と、
該文書入力部により入力された文書データを解析することにより、少なくとも何（Ｗｈａｔ）、誰（Ｗｈｏ）、何時（Ｗｈｅｎ）、何処（Ｗｈｅｒｅ）、何故（Ｗｈｙ）、どうした（Ｈｏｗ）の一ないし複数の５Ｗ１Ｈの要素の判定を行う自然言語処理部と、
日本語における動詞、形容詞、形容動詞を説明し、修飾語となる副詞、または英語における名詞、代名詞、句、節、あるいは文全体を説明し、修飾語となる副詞であって、感情の表現に係る副詞的用法を算定するための所定の副詞的用法算定基準と、該副詞的用法算定基準に対応する副詞的用法と、該副詞的用法の置換対象となる５Ｗ１Ｈの要素とが互いに関連付けられながら記憶された副詞的用法データベースと、
前記自然言語処理部により５Ｗ１Ｈの要素の判定が行われた文書データについて、前記副詞的用法データベースを参照することにより、文書データに含まれる所定の副詞的用法算定基準に対応する副詞的用法と、該副詞的用法の置換対象となる５Ｗ１Ｈの要素とを算定する副詞的用法算定部と、
前記副詞的用法算定部により算定された副詞的用法と５Ｗ１Ｈの要素の算定結果に基づいて、文書データに含まれる該５Ｗ１Ｈの要素を該副詞的用法に置換する副詞的用法置換部と、
前記副詞的用法置換部により所定の５Ｗ１Ｈの要素が副詞的用法に置換された新たな文書データを出力する文書出力部とを備え、
前記副詞的用法算定基準は、文書データにおいて「憲法改正」の単語が含まれている場合の基準、「改憲」の単語が含まれている場合の基準、「海外派兵」の単語が含まれている場合の基準の少なくとも一つを含むユーザの思考傾向に関する基準が含まれ、該副詞的用法算定基準に感情の表現に係る副詞的用法が対応するものとなされ、
前記副詞的用法算定部は、前記自然言語処理部により５Ｗ１Ｈの要素の判定が行われた文書データについて、前記副詞的用法データベースを参照することにより、文書データに含まれるユーザの思考傾向に関する前記副詞的用法算定基準に対応する感情の表現に係る副詞的用法を算定することを特徴とする自然言語処理装置。
【請求項３】
文書データが入力される文書入力部と、
該文書入力部により入力された文書データを解析することにより、少なくとも何（Ｗｈａｔ）、誰（Ｗｈｏ）、何時（Ｗｈｅｎ）、何処（Ｗｈｅｒｅ）、何故（Ｗｈｙ）、どうした（Ｈｏｗ）の一ないし複数の５Ｗ１Ｈの要素の判定を行う自然言語処理部と、
日本語における動詞、形容詞、形容動詞を説明し、修飾語となる副詞、または英語における名詞、代名詞、句、節、あるいは文全体を説明し、修飾語となる副詞であって、感情の表現に係る副詞的用法を算定するための所定の副詞的用法算定基準と、該副詞的用法算定基準に対応する副詞的用法と、該副詞的用法の置換対象となる５Ｗ１Ｈの要素とが互いに関連付けられながら記憶された副詞的用法データベースと、
前記自然言語処理部により５Ｗ１Ｈの要素の判定が行われた文書データについて、前記副詞的用法データベースを参照することにより、文書データに含まれる所定の副詞的用法算定基準に対応する副詞的用法と、該副詞的用法の置換対象となる５Ｗ１Ｈの要素とを算定する副詞的用法算定部と、
前記副詞的用法算定部により算定された副詞的用法と５Ｗ１Ｈの要素の算定結果に基づいて、文書データに含まれる該５Ｗ１Ｈの要素を該副詞的用法に置換する副詞的用法置換部と、
前記副詞的用法置換部により所定の５Ｗ１Ｈの要素が副詞的用法に置換された新たな文書データを出力する文書出力部とを備え、
前記副詞的用法算定基準は、文書データにおける寒暖（文書データに「暖かい」および「寒い」の単語が含まれる）、高低（文書データに「高い」および「低い」の単語が含まれる）、遅早（文書データに「遅い」および「早い」の単語が含まれる）、多少（文書データに「多い」および「少ない」の単語が含まれる）、寒暑（文書データに「寒い」および「暑い」の単語が含まれる）、遅早（文書データに「遅い」および「早い」の単語が含まれる）、白黒（文書データに「白」および「黒」の単語が含まれる）、南北（文書データに「南」および「北」の単語が含まれる）、東西（文書データに「東」および「西」の単語が含まれる）、陰陽（文書データに「陰」および「陽」の単語が含まれる）、男女（文書データに「男」および「女」の単語が含まれる）の少なくとも一つを含む対語に関する基準であって、該副詞的用法算定基準に感情の表現に係る副詞的用法が対応するものとなされ、
前記副詞的用法算定部は、前記自然言語処理部により５Ｗ１Ｈの要素の判定が行われた文書データについて、前記副詞的用法データベースを参照することにより、文書データに含まれる対語に関する前記副詞的用法算定基準に対応する感情の表現に係る副詞的用法を算定することを特徴とする自然言語処理装置。
【請求項４】
文書データが入力される文書入力部と、
該文書入力部により入力された文書データを解析することにより、少なくとも何（Ｗｈａｔ）、誰（Ｗｈｏ）、何時（Ｗｈｅｎ）、何処（Ｗｈｅｒｅ）、何故（Ｗｈｙ）、どうした（Ｈｏｗ）の一ないし複数の５Ｗ１Ｈの要素の判定を行う自然言語処理部と、
日本語における動詞、形容詞、形容動詞を説明し、修飾語となる副詞、または英語における名詞、代名詞、句、節、あるいは文全体を説明し、修飾語となる副詞であって、感情の表現に係る副詞的用法を算定するための所定の副詞的用法算定基準と、該副詞的用法算定基準に対応する副詞的用法と、該副詞的用法の置換対象となる５Ｗ１Ｈの要素とが互いに関連付けられながら記憶された副詞的用法データベースと、
前記自然言語処理部により５Ｗ１Ｈの要素の判定が行われた文書データについて、前記副詞的用法データベースを参照することにより、文書データに含まれる所定の副詞的用法算定基準に対応する副詞的用法と、該副詞的用法の置換対象となる５Ｗ１Ｈの要素とを算定する副詞的用法算定部と、
前記副詞的用法算定部により算定された副詞的用法と５Ｗ１Ｈの要素の算定結果に基づいて、文書データに含まれる該５Ｗ１Ｈの要素を該副詞的用法に置換する副詞的用法置換部と、
前記副詞的用法置換部により所定の５Ｗ１Ｈの要素が副詞的用法に置換された新たな文書データを出力する文書出力部とを備え、
前記副詞的用法算定基準は、文書データにおける仮定（文書データに「もし、Ａたら」の接続パターンが含まれる）、逆接（文書データに「Ａだが、Ｂだ」の接続パターンが含まれる）、順接（「ＡだからＢだ」の接続パターンが含まれる）、追加（文書データに「Ａ、そしてＢになる」の接続パターンが含まれる）、対比（文書データに「ＡそれともＢ」の接続パターンが含まれる）、説明（「Ａ、すなわちＢだ」の接続パターンが含まれる）、転換（文書データに「Ａ、ところでＢ」の接続パターンが含まれる）、仮定（文書データに「Ａれば、Ｂ」の接続パターンが含まれる）、仮定（文書データに「Ａれば、Ｂない」の接続パターンが含まれる）、仮定（文書データに「Ａれば、Ｂった」の接続パターンが含まれる）の少なくとも一つを含む接続パターン（Ａ、Ｂには節・句・単語が入る）に関する基準であって、該副詞的用法算定基準に感情の表現に係る副詞的用法が対応するものとなされ、
前記副詞的用法算定部は、前記自然言語処理部により５Ｗ１Ｈの要素の判定が行われた文書データについて、前記副詞的用法データベースを参照することにより、文書データに含まれる接続パターンに関する前記副詞的用法算定基準に対応する感情の表現に係る副詞的用法を算定することを特徴とする自然言語処理装置。
【請求項５】
文書データが入力される文書入力部と、
該文書入力部により入力された文書データを解析することにより、少なくとも何（Ｗｈａｔ）、誰（Ｗｈｏ）、何時（Ｗｈｅｎ）、何処（Ｗｈｅｒｅ）、何故（Ｗｈｙ）、どうした（Ｈｏｗ）の一ないし複数の５Ｗ１Ｈの要素の判定を行う自然言語処理部と、
日本語における動詞、形容詞、形容動詞を説明し、修飾語となる副詞、または英語における名詞、代名詞、句、節、あるいは文全体を説明し、修飾語となる副詞であって、感情の表現に係る副詞的用法を算定するための所定の副詞的用法算定基準と、該副詞的用法算定基準に対応する副詞的用法と、該副詞的用法の置換対象となる５Ｗ１Ｈの要素とが互いに関連付けられながら記憶された副詞的用法データベースと、
前記自然言語処理部により５Ｗ１Ｈの要素の判定が行われた文書データについて、前記副詞的用法データベースを参照することにより、文書データに含まれる所定の副詞的用法算定基準に対応する副詞的用法と、該副詞的用法の置換対象となる５Ｗ１Ｈの要素とを算定する副詞的用法算定部と、
前記副詞的用法算定部により算定された副詞的用法と５Ｗ１Ｈの要素の算定結果に基づいて、文書データに含まれる該５Ｗ１Ｈの要素を該副詞的用法に置換する副詞的用法置換部と、
前記副詞的用法置換部により所定の５Ｗ１Ｈの要素が副詞的用法に置換された新たな文書データを出力する文書出力部とを備え、
前記副詞的用法算定基準は、文書データにおける簡易（５Ｗ１Ｈの要素のどうした（Ｈｏｗ）に「簡単」の単語が含まれる）、唯一（５Ｗ１Ｈの要素の何（Ｗｈａｔ）の前に「世界で一つ」の単語が含まれる）、絶対性（５Ｗ１Ｈの要素のどうした（Ｈｏｗ）に「絶対」の単語が含まれる）の少なくとも一つを含む誇張パターンに関する基準であって、該副詞的用法算定基準に感情の表現に係る副詞的用法が対応するものとなされ、
前記副詞的用法算定部は、前記自然言語処理部により５Ｗ１Ｈの要素の判定が行われた文書データについて、前記副詞的用法データベースを参照することにより、文書データに含まれる誇張パターンに関する前記副詞的用法算定基準に対応する感情の表現に係る副詞的用法を算定することを特徴とする自然言語処理装置。
【請求項６】
前記副詞的用法データベースは、文書データにおける副詞的用法の挿入位置が副詞的用法算定基準と関連付けられながら記憶され、
前記副詞的用法算定部は、前記自然言語処理部により５Ｗ１Ｈの要素の判定が行われた文書データについて、前記副詞的用法データベースを参照することにより、所定の副詞的用法算定基準に対応する副詞的用法と、該副詞的用法の置換対象となる５Ｗ１Ｈの要素と、文書データにおける副詞的用法の挿入位置とを算定し、
前記副詞的用法置換部は、前記副詞的用法算定部により算定された副詞的用法と、５Ｗ１Ｈの要素と、副詞的用法の挿入位置の算定結果に基づいて、文書データの該５Ｗ１Ｈの要素を該副詞的用法に置換した上で、文書データにおける副詞的用法の該挿入位置に挿入する請求項１から請求項５のいずれかに記載の自然言語処理装置。
【発明の詳細な説明】
【技術分野】
【０００１】
本発明は、ヒト型のロボットや擬人化されたキャラクター等において、ニュース記事等の文書データの自然言語処理を実行する自然言語処理装置に関するものである。
【背景技術】
【０００２】
近年、文書データに対する形態素解析や構文解析などの自然原語処理技術の向上に伴って、ヒト型のロボットや擬人化されたキャラクター等にニュース記事等の文書データの読み上げを代行させることが行われている。例えば、ソフトバンク社のＰｅｐｐｅｒ（登録商標）に代表されるように、人の要求に応じて、インターネット上からニュース記事等の文書データを収集して、それを読み上げることが注目されている。
【０００３】
ところが、従来のヒト型のロボットや擬人化されたキャラクター等では、ニュース記事等の文書データを「何が」「どこで」「どうなった」などの定型フォーマットである「報道事の慣行」と呼ばれる５Ｗ１Ｈによって、単調かつ主観的でない読み上げが繰り返され、いかにも感情のない機械的な印象を受けるものであった。
【０００４】
この点、過去の自然言語処理技術において、文書データをそのまま読み上げるのではなく、各種ルールに従って言語処理を行うことが開示されている（特許文献１〜４参照）。
【先行技術文献】
【特許文献】
【０００５】
【特許文献１】特開２００８−１５２６３７号公報
【特許文献２】特開２００７−３１０８２９号公報
【特許文献３】特開２００２−１８３１１７号公報
【特許文献４】特開平７−１７５８０８号公報
【発明の概要】
【発明が解決しようとする課題】
【０００６】
しかしながら、いずれの自然言語処理技術においても、未だ感情のない機械的な印象を受けるものであった。
【０００７】
本発明は、上述の技術的背景に鑑みてなされたものであって、ヒト型のロボットや擬人化されたキャラクター等において、ニュース記事等の文書データをあたかも感情を持っているかのような主観的で真意の伝わりやすい表現に変換することができる自然言語処理装置を提供することを目的とする。
【課題を解決するための手段】
【０００８】
本発明は、上記目的を達成するために、文書データが入力される文書入力部と、該文書入力部により入力された文書データを解析することにより、少なくとも何（Ｗｈａｔ）、誰（Ｗｈｏ）、何時（Ｗｈｅｎ）、何処（Ｗｈｅｒｅ）、何故（Ｗｈｙ）、どうした（Ｈｏｗ）の一ないし複数の５Ｗ１Ｈの要素の判定を行う自然言語処理部と、副詞的用法を算定するための副詞的用法算定基準と、該副詞的用法算定基準に対応する副詞的用法とが互いに関連付けられながら記憶された副詞的用法データベースと、前記自然言語処理部により５Ｗ１Ｈの要素の判定が行われた文書データについて、前記副詞的用法データベースを参照することにより、所定の副詞的用法算定基準に対応する副詞的用法を算定する副詞的用法算定部と、文書データの所定の５Ｗ１Ｈの要素を前記副詞的用法算定部により算定された副詞的用法に置換する副詞的用法置換部と、前記副詞的用法置換部により所定の５Ｗ１Ｈの要素が副詞的用法に置換された新たな文書データを出力する文書出力部とを備えることを特徴とする。
なお、本発明では、日本語の文法における副詞（主に用言（動詞・形容詞・形容動詞）を説明し、修飾語となる語）に加え、英語の文法における副詞のように、名詞、代名詞、句、節、あるいは文全体を説明し、修飾語となる品詞・句・節に係る用法を「副詞的用法」と定義することとする。
【０００９】
これによれば、文書データの内容に基づいて副詞的用法を算定して、文書データの５Ｗ１Ｈの要素を該副詞的用法に置換するため、ヒト型のロボットや擬人化されたキャラクター等において、ニュース記事等の文書データをあたかも感情を持っているかのような主観的で真意の伝わりやすい表現に変換することができる。
【００１０】
また、前記副詞的用法データベースは、副詞的用法の置換対象となる５Ｗ１Ｈの要素が副詞的用法算定基準と関連付けられながら記憶され、前記副詞的用法算定部は、前記自然言語処理部により５Ｗ１Ｈの要素の判定が行われた文書データについて、前記副詞的用法データベースを参照することにより、所定の副詞的用法算定基準に対応する副詞的用法と、該副詞的用法の置換対象となる５Ｗ１Ｈの要素とを算定し、前記副詞的用法置換部は、前記副詞的用法算定部により算定された副詞的用法と５Ｗ１Ｈの要素の算定結果に基づいて、文書データの該５Ｗ１Ｈの要素を該副詞的用法に置換するのが好ましい。
【００１１】
また、前記副詞的用法データベースは、文書データにおける副詞的用法の挿入位置が副詞的用法算定基準と関連付けられながら記憶され、前記副詞的用法算定部は、前記自然言語処理部により５Ｗ１Ｈの要素の判定が行われた文書データについて、前記副詞的用法データベースを参照することにより、所定の副詞的用法算定基準に対応する副詞的用法と、該副詞的用法の置換対象となる５Ｗ１Ｈの要素と、文書データにおける副詞的用法の挿入位置とを算定し、前記副詞的用法置換部は、前記副詞的用法算定部により算定された副詞的用法と、５Ｗ１Ｈの要素と、副詞的用法の挿入位置の算定結果に基づいて、文書データの該５Ｗ１Ｈの要素を該副詞的用法に置換した上で、文書データにおける副詞的用法の挿入位置に挿入するのが好ましい。
【００１２】
また、前記副詞的用法データベースは、ユーザのパーソナリティに関する基準が副詞的用法算定基準と関連付けられながら記憶され、前記副詞的用法算定部は、前記自然言語処理部により５Ｗ１Ｈの要素の判定が行われた文書データについて、前記副詞的用法データベースを参照することにより、ユーザのパーソナリティに関する基準に応じて、所定の副詞的用法算定基準に対応する副詞的用法を算定してもよい。
【００１３】
また、前記副詞的用法算定基準は対語に関するものであり、前記副詞的用法算定部は、前記自然言語処理部により５Ｗ１Ｈの要素の判定が行われた文書データについて、前記副詞的用法データベースを参照することにより、所定の対語に関する副詞的用法算定基準に対応する副詞的用法を算定してもよい。
【００１４】
また、前記副詞的用法算定基準は接続パターンに関するものであり、前記副詞的用法算定部は、前記自然言語処理部により５Ｗ１Ｈの要素の判定が行われた文書データについて、前記副詞的用法データベースを参照することにより、所定の接続パターンに関する副詞的用法算定基準に対応する副詞的用法を算定してもよい。
【００１５】
また、前記副詞的用法算定基準は誇張表現に関するものであり、前記副詞的用法算定部は、前記自然言語処理部により５Ｗ１Ｈの要素の判定が行われた文書データについて、前記副詞的用法データベースを参照することにより、所定の誇張表現に関する副詞的用法算定基準に対応する副詞的用法を算定してもよい。
【発明の効果】
【００１６】
本発明によれば、文書データの内容に基づいて副詞的用法を算定して、文書データの５Ｗ１Ｈの要素を該副詞的用法に置換するため、ヒト型のロボットや擬人化されたキャラクター等において、ニュース記事等の文書データをあたかも感情を持っているかのような主観的で真意の伝わりやすい表現に変換することができる。
【図面の簡単な説明】
【００１７】
【図１】本装置の概略構成を示す図である。
【図２】自然言語処理部による文書データの解析を説明する図である。
【図３】実施例１に係る文書データの副詞的用法の置換を説明する図である。
【図４】実施例１に係る副詞的用法算定基準の対応関係を示す図である。
【図５】実施例２に係る文書データの副詞的用法の置換を説明する図である。
【図６】実施例２に係る副詞的用法算定基準の対応関係を示す図である。
【図７】実施例２に係るパーソナリティ基準の対応関係を示す図である。
【図８】実施例３に係る文書データの副詞的用法の置換を説明する図である。
【図９】実施例３に係る副詞的用法算定基準の対応関係を示す図である。
【図１０】実施例３に係る単語と単語グループの対応関係を示す図である。
【図１１】実施例４に係る文書データの副詞的用法の置換を説明する図である。
【図１２】実施例４に係る副詞的用法算定基準の対応関係を示す図である。
【図１３】実施例５に係る文書データの副詞的用法の置換を説明する図である。
【図１４】実施例５に係る副詞的用法算定基準の対応関係を示す図である。
【発明を実施するための形態】
【００１８】
次に、本発明に係る自然言語処理装置（以下、本装置１という）の実施形態について図１を参照しつつ説明する。
【００１９】
本装置１は、図１に示すように、文書入力部１０と、文書入力部１０の出力側に設けられた自然言語処理部２０と、自然言語処理部２０の出力側に設けられたシナリオ生成処理部３０と、シナリオ生成処理部３０の出力側に設けられた文書出力部４０とを備える。
【００２０】
前記文書入力部１０は、インターネットから配信されたり、ユーザにより読み込まれたニュース記事等の文書データが入力される。
【００２１】
前記自然言語処理部２０は、文書入力部１０の出力側に設けられた形態素解析部２１と、形態素解析部２１の出力側に設けられた構文解析部２２と、構文解析部２２の出力側に設けられた５Ｗ１Ｈ判定部２３とを備える。
【００２２】
前記形態素解析部２１は、文書入力部１０により入力された文書データの各文の形態素解析を行う。この形態素解析とは、対象言語の文法の知識（文法のルールの集まり）や辞書（品詞等の情報付きの単語リスト）を情報源として用い、自然言語で書かれた文を形態素と呼ばれる言語学上で意味を持つ最小の品詞単位に分割し、それぞれの品詞を判別する作業を示す。例えば、図２に示すように、「１９７７年２月１７日の昼過ぎに久米島で観測史上初となる雪が記録された。」の文に対して形態素解析を行うと、「１９７７」「年」「２」「月」「１７」「日」・・・のように最小の品詞単位に分割する。
【００２３】
前記構文解析部２２は、形態素解析部２１により形態素解析された文書データの各文の構文解析を行う。この構文解析とは、最小単位に分割した品詞を用いて、句と呼ばれる意味や目的を持った言葉のかたまりにする作業を示す。例えば、図２に示すように、上述のように形態素解析された文に対して構文解析を行うと、「『１９７７年２月１７日の』『昼過ぎに』」「久米島で」「『観測史上初と』『なる』『雪が』」「記録された」と意味や目的を持った言葉のかたまりにする。
【００２４】
前記５Ｗ１Ｈ判定部２３は、構文解析部２２により解析された文書データの各文の５Ｗ１Ｈの判定を行う。この５Ｗ１Ｈの判定とは、各文において意味や目的をもった言葉のかたまりである各句に対して、何（Ｗｈａｔ）、誰（Ｗｈｏ）、何時（Ｗｈｅｎ）、何処（Ｗｈｅｒｅ）、何故（Ｗｈｙ）、どうした（Ｈｏｗ）の要素の判定を行う。本実施形態では、５Ｗ１Ｈとして一般的な５つの要素の判定を行うが、さらに「誰に（Ｗｈｏｍ）や「いくら（Ｈｏｗ  ｍｕｃｈ）」「どれだけ（Ｈｏｗ  ｍａｎｙ）」などの要素の判定も行ってもよい。例えば、図２に示すように、上述の構文解析された文に対して５Ｗ１Ｈ判定を行うと、ＷＨＥＮ「１９７７年２月１７日の昼過ぎに」、ＷＨＥＲＥ「久米島で」、ＷＨＡＴ「観測史上初となる雪が」、ＨＯＷ「記録された」と判定する。
【００２５】
前記シナリオ生成処理部３０は、５Ｗ１Ｈ判定部２３の出力側に設けられた副詞的用法算定部３１と、副詞的用法算定部３１の出力側に設けられた副詞的用法置換部３２とを備え、副詞的用法データベース（以下、副詞的用法ＤＢ５０という）が通信可能な状態で接続されている。
【００２６】
この副詞的用法ＤＢ５０は、副詞的用法を算定するための副詞的用法算定基準と、該副詞的用法算定基準に対応する副詞的用法と、該副詞的用法の置換対象となる５Ｗ１Ｈの要素と、文書データにおける該副詞的用法の挿入位置とが互いに関連付けられながら記憶されている。
【００２７】
前記副詞的用法算定部３１は、前記５Ｗ１Ｈ判定部２３により５Ｗ１Ｈの要素の判定が行われた文書データについて、前記副詞的用法ＤＢ５０を参照することにより、所定の副詞的用法算定基準に対応する副詞的用法と、該副詞的用法の置換対象となる５Ｗ１Ｈの要素と、文書データにおける該副詞的用法の挿入位置とを算定する。具体的な副詞的用法の算定方法については、実施例１〜実施例５にて具体的に説明する。
【００２８】
なお、本発明では、日本語の文法における副詞（主に用言（動詞・形容詞・形容動詞）を説明し、修飾語となる語）に加え、英語の文法における副詞のように、名詞、代名詞、句、節、あるいは文全体を説明し、修飾語となる品詞・句・節に係る用法を「副詞的用法」と定義することとする。
【００２９】
前記副詞的用法置換部３２は、前記副詞的用法算定部３１により算定された副詞的用法と、５Ｗ１Ｈの要素と、副詞的用法の挿入位置の算定結果に基づいて、文書データの該５Ｗ１Ｈの要素を該副詞的用法に置換した上で、文書データにおける副詞的用法の挿入位置に挿入する。副詞的用法の置換方法については、実施例１〜実施例５にて具体的に説明する。
【００３０】
前記文書出力部４０は、前記副詞的用法置換部３２により５Ｗ１Ｈの要素が副詞的用法に置換された新たな文書データを所定の形式で出力する。この新たな文書データの出力に際しては、例えばヒト型のロボットや仮想のキャラクターにより音声形式で出力することが挙げられる。
【実施例１】
【００３１】
本実施例では、図３および図４を参照しながら、文書データの何時（Ｗｈｅｎ）の要素を副詞的用法に置換する場合について説明する。
【００３２】
前記副詞的用法ＤＢ５０は、図４（ａ）に示すように、副詞的用法を算定するための副詞的用法算定基準と、該副詞的用法算定基準に対応する副詞的用法と、該副詞的用法の置換対象となる５Ｗ１Ｈの要素と、文書データにおける該副詞的用法の挿入位置とが互いに関連付けられながら記憶されている。
【００３３】
この副詞的用法算定基準は、例えば「ＨＯＷに謝罪が含まれる」「ＨＯＷがポジティブな場合」「ＨＯＷがネガティブな場合」というように５Ｗ１Ｈの「ＨＯＷ」の要素に関する算定基準である。
【００３４】
なお、これらの副詞的用法算定基準に対応する副詞的用法は、例えば謝罪、感謝、悲嘆などに関するものであり、図４（ｂ）に示すように、謝罪の場合には「『ご迷惑がかからないようにする。』と、」、感謝の場合は「有り難いことに、」、悲嘆の場合は「残念ですが、」の具体的な表現がそれぞれ対応している。なお、このような副詞的用法の具体的な表現は実施例２〜実施例５でも同様に対応するものである。
【００３５】
また、これらの副詞的用法の置換対象となるなる５Ｗ１Ｈの要素は、「ＷＨＥＮ」に設定されている。
【００３６】
また、文書データにおける前記副詞的用法の挿入位置は、「文頭」に設定されている。
【００３７】
而して、文書入力部１０に図３に示す文書データＡ１が入力されると、自然言語処理部２０において、形態素解析部２１が、図３の文書データＡ２に示すように形態素解析を行い、構文解析部２２が図３の文書データＡ３に示すように構文解析を行ったあと、５Ｗ１Ｈ判定部２３が図３の文書データＡ４に示すように５Ｗ１Ｈの判定を行う。
【００３８】
次に、シナリオ生成処理部３０において、前記副詞的用法算定部３１が、図３の文書データＡ４について、前記副詞的用法ＤＢ５０を参照することにより、所定の副詞的用法算定基準に対応する副詞的用法を算定する。本実施例の文書データＡ４では、ＨＯＷに謝罪が含まれるため、その副詞的用法算定基準「ＨＯＷに謝罪が含まれる」に対応する副詞的用法（謝罪）を算定する。また、この副詞的用法（謝罪）の置換対象となる５Ｗ１Ｈの要素「ＷＨＥＮ」と挿入位置「文頭」も算定する。
【００３９】
そして、前記副詞的用法置換部３２は、前記副詞的用法算定部３１により算定された副詞的用法と５Ｗ１Ｈの要素と副詞的用法の挿入位置の算定結果に基づいて、文書データの該５Ｗ１Ｈの要素を該副詞的用法に置換した上で、文書データにおける該副詞的用法の挿入位置に挿入する。本実施例の文書データＡ４では、図３の文書データＡ５に示すように、５Ｗ１Ｈの要素「ＷＨＥＮ」の「６月１日に」を副詞的用法（謝罪）の「「ご迷惑がかからないようにする。」と、」に置換した上で文頭に挿入する。
【００４０】
あとは、前記文書出力部４０が、５Ｗ１Ｈの要素「ＷＨＥＮ」の「６月１日に」が副詞的用法（謝罪）の「「ご迷惑がかからないようにする。」と、」に置換された、図３に示す文書データＡ５を所定の形式で出力する。
【実施例２】
【００４１】
本実施例では、図５〜図７を参照しながら、ユーザのパーソナリティ基準に応じて、文書データの５Ｗ１Ｈの要素を副詞的用法に置換する場合について説明する。
【００４２】
前記副詞的用法ＤＢ５０は、図６に示すように、副詞的用法を算定するための副詞的用法算定基準と、ユーザのパーソナリティに関する基準と、該副詞的用法算定基準に対応する副詞的用法と、該副詞的用法の置換対象となる５Ｗ１Ｈの要素と、文書データにおける該副詞的用法の挿入位置とが互いに関連付けられながら記憶されている。
【００４３】
このユーザのパーソナリティに関する基準とは、ユーザの思考傾向を示すものであり、例えば政治に関する思考が右寄りまたは左寄り、海外派兵に関する思考がタカ派またはハト派などの基準が定められている。また、ユーザのパーソナリティに関する基準は、ユーザの選択等によりあらかじめ定めてもよいし、文書データの内容に基づいて定めてもよい。特に文書データの内容に基づいてパーソナリティに関する基準を定める場合、図７に示すように、ユーザの思考傾向ごとに判別を設定しておいて、一方の思考傾向の場合にはプラス、他方の政治傾向の場合にはマイナスとして、思考傾向を数値化した上でユーザのパーソナリティに関する基準を定める方法が考えられる。
【００４４】
而して、文書入力部１０に図５に示す文書データＢ１が入力されると、自然言語処理部２０において、形態素解析部２１が図５の文書データＢ２に示すように形態素解析を行い、構文解析部２２が図５の文書データＢ３に示すように構文解析を行ったあと、５Ｗ１Ｈ判定部２３が図５の文書データＢ４に示すように５Ｗ１Ｈの判定を行う。
【００４５】
次に、シナリオ生成処理部３０において、前記副詞的用法算定部３１が、図５の文書データＢ４について、前記副詞的用法ＤＢ５０を参照することにより、ユーザのパーソナリティに関する基準に応じて、所定の副詞的用法算定基準に対応する副詞的用法を算定する。本実施例の文書データＢ４では、改憲や憲法改正等の記載が「ＷＨＡＴ」にあるため、ユーザのパーソナリティの基準が「政治が右寄り」の場合、そのユーザのパーソナリティに関する基準「政治が右寄り」に応じて副詞的用法算定基準「改憲や憲法改正等の記載がＷＨＡＴにある」に対応する副詞的用法（悲願）を算定する。一方、そのユーザのパーソナリティが「政治が左寄り」の場合、そのユーザのパーソナリティに関する基準「政治が左寄り」に応じて副詞的用法算定基準「改憲や憲法改正等の記載がＷＨＡＴにある」に対応する副詞的用法（残念）を算定する。また、該副詞的用法（謝罪）の置換対象となる５Ｗ１Ｈの要素「ＷＨＥＮ」と挿入位置「文頭」も算定する。
【００４６】
そして、前記副詞的用法置換部３２は、前記副詞的用法算定部３１による副詞的用法と５Ｗ１Ｈの要素と副詞的用法の挿入位置の算定結果に基づいて、文書データの該５Ｗ１Ｈの要素を該副詞的用法に置換した上で、文書データにおける該副詞的用法の挿入位置に挿入する。本実施例の文書データＢ４では、図５の文書データＢ５に示すように５Ｗ１Ｈの要素「ＷＨＥＮ」の「去る１５日に」を副詞的用法（悲願）の「待ちわびたことに、」または副詞的用法（残念）の「遺憾だが、」に置換した上で文頭に挿入する。
【００４７】
あとは、前記文書出力部４０が、５Ｗ１Ｈの要素「ＷＨＥＮ」の「去る１５日に」が副詞的用法（悲願）の「待ちわびたことに、」または副詞的用法（残念）の「遺憾だが、」に置換された、図５に示す文書データＡ５を所定の形式で出力する。
【実施例３】
【００４８】
本実施例では、図８〜図１０を参照しながら、対語に関する副詞的用法算定基準に基づいて、文書データの５Ｗ１Ｈの要素を副詞的用法に置換する場合について説明する。
【００４９】
前記副詞的用法ＤＢ５０は、図９に示すように、副詞的用法を算定するための対語に関する副詞的用法算定基準と、該副詞的用法算定基準に対応する副詞的用法と、該副詞的用法の置換対象となる５Ｗ１Ｈの要素と、文書データにおける該副詞的用法の挿入位置とが互いに関連付けられながら記憶されている。
【００５０】
この対語に関する副詞的用法算定基準は、「暖かい」と「寒い」、「高い」と「低い」、「早い」と「遅い」などのように、意味が反対の対語に関する単語グループが互いに対応するともに、各対語に関する単語グループに対応して「寒暖」「高低」「遅早」等の識別が対応するように関連付けられている。また、この対語に関する単語グループについては、図１０に示すように、各単語グループに一ないし複数の単語が属するように設定されている。なお、本実施例では、対語に関する単語グループが互いに対応した副詞的用法算定基準としたが、対語に関する単語そのものが対応した副詞的用法算定基準であってもよい。
【００５１】
而して、文書入力部１０に図８に示す文書データＣ１が入力されると、自然言語処理部２０において、形態素解析部２１が所定の形態素解析を行い、構文解析部２２が所定の構文解析を行ったあと、５Ｗ１Ｈ判定部２３が図８の文書データＣ２に示すように５Ｗ１Ｈの判定を行う。
【００５２】
次に、シナリオ生成処理部３０において、前記副詞的用法算定部３１が、図８の文書データＣ２について、前記副詞的用法ＤＢ５０を参照することにより、所定の対語に関する副詞的用法算定基準に対応する副詞的用法を算定する。本実施例の文書データＣ２では、単語グループ「暖かい」の属する単語「沖縄県」と、単語グループ「寒い」に属する単語「積雪」が５Ｗ１Ｈに含まれるため、その対語に関する副詞的用法算定基準（寒暖）に対応する副詞的用法（驚愕）を算定する。また、該副詞的用法（驚愕）の置換対象となる５Ｗ１Ｈの要素「ＷＨＥＮ」と挿入位置「文頭」も算定する。
【００５３】
そして、前記副詞的用法置換部３２は、前記副詞的用法算定部３１により副詞的用法と５Ｗ１Ｈの要素と副詞的用法の挿入位置の算定結果に基づいて、文書データの該５Ｗ１Ｈの要素を該副詞的用法に置換した上で、文書データにおける該副詞的用法の挿入位置に挿入する。本実施例の文書データＣ２では、図８の文書データＣ３に示すように、５Ｗ１Ｈの要素「ＷＨＥＮ」の「昨年に」を副詞的用法（驚愕）の「信じられないことに、」に置換した上で文頭に挿入する。
【００５４】
あとは、前記文書出力部４０が、５Ｗ１Ｈの要素「ＷＨＥＮ」の「昨年に」が副詞的用法（驚愕）の「信じられないことに、」に置換された、図８に示す文書データＣ３を所定の形式で出力する。
【００５５】
なお、本実施例では、所定の単語について各単語グループがあらかじめ設定されるに際して、単語「苺」には単語グループ「赤い」といった連想する単語グループを設定してもよい。
【実施例４】
【００５６】
本実施例では、図１１および図１２を参照しながら、接続パターンに関する副詞的用法算定基準に基づいて、文書データの５Ｗ１Ｈの要素を副詞的用法に置換する場合について説明する。
【００５７】
前記副詞的用法ＤＢ５０は、図１２に示すように、副詞的用法を算定するための接続パターンに関する副詞的用法算定基準と、該副詞的用法算定基準に対応する副詞的用法と、該副詞的用法の置換対象となる５Ｗ１Ｈの要素と、文書データにおける該副詞的用法の挿入位置とが互いに関連付けられながら記憶されている。
【００５８】
この接続パターンに関する副詞的用法算定基準は、仮定、逆接、順接等の接続種類と、「もし、Ａたら」「Ａだが、Ｂだ」「ＡだからＢ」（Ａ、Ｂには節・句・単語が入る）等の接続パターンとが互いに対応するように関連付けられている。
【００５９】
而して、文書入力部１０に図１１に示す文書データＤ１が入力されると、自然言語処理部２０において、形態素解析部２１が図１１の文書データＤ２に示すように形態素解析を行い、構文解析部２２が図１１の文書データＤ３に示すように構文解析を行ったあと、５Ｗ１Ｈ判定部２３が図１１の文書データＤ４に示すように５Ｗ１Ｈの判定を行う。
【００６０】
次に、シナリオ生成処理部３０において、前記副詞的用法算定部３１が、図１１の文書データＤ４について、前記副詞的用法ＤＢ５０を参照することにより、所定の接続パターンに関する副詞的用法算定基準に対応する副詞的用法を算定する。本実施例の文書データＤ４では、文書データに接続パターン（仮定）の「もし、Ａたら」が含まれているため、その接続パターン（仮定）に関する副詞的用法算定基準に対応する副詞的用法（仮定）を算定する。また、該副詞的用法（驚愕）の置換対象となる５Ｗ１Ｈの要素「ＷＨＥＮ」と挿入位置「文頭」も算定する。
【００６１】
そして、前記副詞的用法置換部３２は、前記副詞的用法算定部３１により副詞的用法と５Ｗ１Ｈの要素と副詞的用法の挿入位置の算定結果に基づいて、文書データの該５Ｗ１Ｈの要素を該副詞的用法に置換した上で、文書データにおける該副詞的用法の挿入位置に挿入する。本実施例の文書データＤ４では、図１１の文書データＤ５に示すように、５Ｗ１Ｈの要素「ＷＨＥＮ」の「１９４１年１２月８日の」を副詞的用法（仮定）の「信じられないかもしれないが、」に置換した上で文頭に挿入する。このとき接続パターンに係る単語「もし」を省略してもよい。
【００６２】
あとは、前記文書出力部４０が、５Ｗ１Ｈの要素「ＷＨＥＮ」の「１９４１年１２月８日の」が副詞的用法（仮定）の「信じられないかもしれないが、」に置換された、図１１に示す文書データＤ５を所定の形式で出力する。
【実施例５】
【００６３】
本実施例では、図１３および図１４を参照しながら、誇張表現に関する副詞的用法算定基準に基づいて、文書データの５Ｗ１Ｈの要素を副詞的用法に置換する場合について説明する。
【００６４】
前記副詞的用法ＤＢ５０は、図１４に示すように、副詞的用法を算定するための誇張表現に関する副詞的用法算定基準と、該副詞的用法算定基準に対応する副詞的用法と、該副詞的用法の置換対象となる５Ｗ１Ｈの要素と、文書データにおける該副詞的用法の挿入位置とが互いに関連付けられながら記憶されている。
【００６５】
この誇張表現に関する副詞的用法算定基準は、簡易、唯一、絶対等の誇張表現と、「ＨＯＷに簡単」「ＷＨＡＴの前に世界で一つ」「ＨＯＷに絶対」等の誇張パターンとが互いに対応するように関連付けられている。
【００６６】
而して、文書入力部１０に図１３に示す文書データＥ１が入力されると、自然言語処理部２０において、形態素解析部２１が図１３の文書データＥ２に示すように形態素解析を行い、構文解析部２２が図１３の文書データＥ３に示すように構文解析を行ったあと、５Ｗ１Ｈ判定部２３が図１３の文書データＥ４に示すように５Ｗ１Ｈの判定を行う。
【００６７】
次に、シナリオ生成処理部３０において、前記副詞的用法算定部３１が、図１３の文書データＥ４について、前記副詞的用法ＤＢ５０を参照することにより、誇張表現に関する副詞的用法算定基準に対応する副詞的用法を算定する。本実施例の文書データＥ４では、ＨＯＷに「簡単」の誇張表現が含まれているため、その誇張表現に関する副詞的用法算定基準（簡易）「ＨＯＷに簡単」に対応する副詞的用法（驚愕）「信じられないことに」を算定する。また、該副詞的用法（驚愕）の置換対象となる５Ｗ１Ｈの要素「ＷＨＥＮ」と挿入位置「文頭」も算定する。
【００６８】
そして、前記副詞的用法置換部３２は、前記副詞的用法算定部３１により副詞的用法と５Ｗ１Ｈの要素と副詞的用法の挿入位置の算定結果に基づいて、文書データの該５Ｗ１Ｈの要素を該副詞的用法に置換した上で、文書データにおける該副詞的用法の挿入位置に挿入する。本実施例の文書データＥ４では、図１３の文書データＥ５に示すように、５Ｗ１Ｈの要素「ＷＨＥＮ」の「毎日」を副詞的用法（驚愕）の「信じられないことに、」に置換した上で文頭に挿入する。このとき５Ｗ１Ｈの要素「ＷＨＯ」の「リバウンダー」の語末に助詞「も」を追加するとよい。
【００６９】
あとは、前記文書出力部４０が、５Ｗ１Ｈの要素「ＷＨＥＮ」の「毎日」が副詞的用法（驚愕）の「信じられないことに、」に置換された、図１３に示す文書データＥ５を所定の形式で出力する。
【００７０】
なお、本実施形態では、副詞的用法算定部３１が所定の副詞的用法算定基準に対応する副詞的用法を算定するに際して、該副詞的用法の置換対象や挿入位置も併せて算定するものとしたが、それらを併せて算定しないものとしてもよい。この場合、副詞用法の置換対象の５Ｗ１Ｈの要素は例えば「ＷＨＥＮ」のみと予め設定したり、挿入位置は元の５Ｗ１Ｈの要素の位置等と予め設定することが考えられる。
【００７１】
また、文書データのうちの一の５Ｗ１Ｈの要素のみを副詞的用法に置換する場合について説明したが、複数の５Ｗ１Ｈの要素をそれぞれに対応した副詞的用法に置換してもよい。
【００７２】
また、副詞的用法算定基準と副詞的用法は実施例１〜実施例５のものに限定されるものではなく、その他の副詞的用法算定基準と副詞的用法であってもよい。
【００７３】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００７４】
１０・・・文書入力部
２０・・・自然言語処理部
２１・・・形態素解析部
２２・・・構文解析部
２３・・・５Ｗ１Ｈ判定部
３０・・・シナリオ生成部
３１・・・副詞的用法算定部
３２・・・副詞的用法置換部
４０・・・文書出力部
５０・・・副詞的用法ＤＢ
【図１】
0006722852.tif 000002
【図２】
0006722852.tif 000003
【図３】
0006722852.tif 000004
【図４】
0006722852.tif 000005
【図５】
0006722852.tif 000006
【図６】
0006722852.tif 000007
【図７】
0006722852.tif 000008
【図８】
0006722852.tif 000009
【図９】
0006722852.tif 000010
【図１０】
0006722852.tif 000011
【図１１】
0006722852.tif 000012
【図１２】
0006722852.tif 000013
【図１３】
0006722852.tif 000014
【図１４】
0006722852.tif 000015